(57)【要約】【課題】開口を有する吸収性シート部材とバックシートとを重ねた吸収性物品において、開口近傍におけるシート間の厚さ方向の距離を大きく維持するとともに開口近傍の部位を着用者に密着させる。【解決手段】吸収性物品１では、開口２５を有する吸収性シート部材２０の前部吸収コア２１２および後部吸収コア２２２とバックシート２３との間に前部ポケット２６および後部ポケット２７が形成され、吸収性シート部材２０の両側に一対のサイドシート３が設けられる。各サイドシート３において、吸収性シート部材２０に接合される接合部３３の内側エッジ３３１に接合された第３弾性部材３５が収縮することにより、両吸収コアがバックシート２３から離れるように持ち上げられ、開口２５近傍における吸収性シート部材２０とバックシート２３との間の厚さ方向の距離を大きく維持するとともに吸収性シート部材２０の開口２５近傍の部位を着用者に密着させることができる。【選択図】図１
2010115218.tif 000002
【特許請求の範囲】
【請求項１】
着用者からの排泄物を受ける吸収性物品であって、
バックシートと、
前記バックシート上に重ねられて前記バックシートに接合され、着用者の股間部に対向する開口を有する吸収性シート部材と、
前記吸収性シート部材上の幅方向の両側において前記幅方向に垂直な長手方向のほぼ全長に亘って設けられた一対のサイドシートと、
を備え、
前記吸収性シート部材が、
前記着用者の腹側に配置される前部吸収コアと、
前記着用者の背側に配置される後部吸収コアと、
前記前部吸収コアおよび前記後部吸収コアを被覆するとともに前記前部吸収コアと前記後部吸収コアとの間に前記開口が形成された透液性のコア被覆シートと、
を備え、
前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、
前記一対のサイドシートのそれぞれが、
前記コア被覆シートに接合される帯状の部位であって、前記幅方向における内側エッジが前記開口の側方エッジよりも前記幅方向の内側に位置する接合部と、
少なくとも一部が前記接合部の前記内側エッジから起立する側壁部と、
前記接合部の前記開口の前記側方エッジよりも前記幅方向の内側、または、前記側壁部の前記接合部近傍に前記開口を跨いで前記長手方向に接合されるとともに収縮することにより前記一方の吸収コアを他方の吸収コアに向かって引き寄せる弾性部材と、
を備えることを特徴とする吸収性物品。
【請求項２】
請求項１に記載の吸収性物品であって、
前記一方の吸収コアが前記前部吸収コアであり、
前記長手方向において前記前部吸収コアが前記後部吸収コアよりも長いことを特徴とする吸収性物品。
【請求項３】
請求項１または２に記載の吸収性物品であって、
前記側壁部が、前記接合部の前記内側エッジから前記幅方向の外側に向かって起立することを特徴とする吸収性物品。
【請求項４】
請求項１ないし３のいずれかに記載の吸収性物品であって、
前記一対のサイドシートのそれぞれの前記弾性部材が、前記接合部または前記側壁部において前記接合部の前記内側エッジ近傍に接合されることを特徴とする吸収性物品。
【請求項５】
請求項１ないし４のいずれかに記載の吸収性物品であって、
前記接合部が、前記一方の吸収コア上の前記開口のエッジ近傍において、前記コア被覆シートと非接合とされることを特徴とする吸収性物品。
【請求項６】
請求項１ないし５のいずれかに記載の吸収性物品であって、
前記吸収性シート部材が、前記幅方向の両側にて前記長手方向に伸びるとともに前記コア被覆シートに接合される他の弾性部材をさらに備え、
前記他の弾性部材が、少なくとも前記開口の前記側方エッジよりも前記幅方向の外側の位置から前記一方の吸収コアに重なる位置まで設けられ、収縮することにより前記一方の吸収コアを前記他方の吸収コアに向かって引き寄せることを特徴とする吸収性物品。
【請求項７】
請求項１ないし６のいずれかに記載の吸収性物品であって、
前記一方の吸収コアが、前記吸収性シート部材の前記幅方向における中央領域に、前記開口近傍または前記開口に接するコアエッジから前記長手方向におよそ沿って伸びる弱化線群を有し、着用時に前記一方の吸収コアが前記弱化線群にて折れ曲がることにより、前記一方の吸収コアの前記中央領域に前記バックシートから離れる方向に突出する凸部が形成されることを特徴とする吸収性物品。
【請求項８】
請求項１ないし７のいずれかに記載の吸収性物品であって、
前記吸収性シート部材の前記前部吸収コアおよび前記後部吸収コアのうち前記他方の吸収コアの周囲が、前記開口およびその周辺部を除いて前記バックシートと接合されることにより、前記他方の吸収コアと前記バックシートとの間にもう１つのポケットが形成されることを特徴とする吸収性物品。
【請求項９】
請求項８に記載の吸収性物品であって、
前記他方の吸収コアが、前記吸収性シート部材の前記幅方向における前記中央領域に、前記開口近傍または前記開口に接するコアエッジから前記長手方向におよそ沿って伸びる弱化線群を有し、着用時に前記他方の吸収コアが前記弱化線群にて折れ曲がることにより、前記他方の吸収コアの前記中央領域に前記バックシートから離れる方向に突出する凸部が形成されることを特徴とする吸収性物品。
【請求項１０】
請求項１ないし９のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨て着用物品では、着用者の肛門に対向する開口が中央に形成されたシート状のライナが、バックシート上に固定された半剛性吸収体の着用者側に半剛性吸収体の後胴周域に対向して設けられており、ライナの開口を通過した軟便を、ライナと半剛性吸収体との間の空間に収容することにより、着用者に対する軟便の付着防止が図られている。特許文献１では、ライナの開口周縁に沿って弾性部材をライナに接合することにより開口状態を維持し、開口の幅方向の両側にて長手方向に伸びる弾性部材をライナに接合することにより、ライナを半剛性吸収体から離れるように持ち上げる技術が開示されている。
【０００４】
特許文献２の使い捨ておむつでは、幅方向の両側において長手方向に伸びるとともに着用者に向けて立ち上がる一対の側壁部の頂縁間（すなわち、着用者側の両端部の間）にシート状の頂面部が設けられており、吸収コア、一対の側壁部、および、吸収コアと離間しつつ対向する頂面部により空洞部が形成され、頂面部に形成された開口を通過した排泄物が当該空洞部に収容される。特許文献２の使い捨ておむつでは、好ましくは捲縮している合成繊維や発泡ウレタンシート等の軟質の発泡プラスチックシートにより形成されたパッド部材を、頂面部の開口の周囲に設けることにより、頂面部の開口が着用者の肛門等からずれてしまうことを抑制する技術が開示されている。
【０００５】
特許文献３の紙おむつでは、幅方向の両側において長手方向に伸びるとともに着用者に向けて立ち上がる一対のバリアカフスの間に、目が粗い表面シートが吸収コア上の透液性シートから離間して設けられており、表面シートを通過した軟便は表面シートと透液性シートとの間の空間に収容される。また、特許文献３の紙おむつでは、一対のバリアカフスを幅方向の外側に向けて折り返すことにより、紙おむつを装着した際におけるバリアカフスの起立状態の維持が図られている。
【特許文献１】特開２００７−３００９４０号公報
【特許文献２】特許第３４０６２０５号公報
【特許文献３】特開平２−１２６８５０号公報
【発明の開示】
【発明が解決しようとする課題】
【０００６】
ところで、特許文献１の使い捨て着用物品では、ライナが２枚のシートを積層した薄いシートであるため、着用者の体圧等によりライナと半剛性吸収体との間の空間が押しつぶされやすくなり、軟便等を収容することができないおそれがある。また、着用者の動きによりライナが捩れてしまい、開口が着用者の肛門等からずれてしまう可能性もある。
【０００７】
特許文献２の使い捨ておむつでも同様に、頂面部が開口の周囲を除いて薄いシートとされるため、着用者の体圧等により頂面部と吸収コアとの間の空洞部が押しつぶされやすくなり、軟便等を収容することができないおそれがある。また、特許文献２の使い捨ておむつでは、側壁部および頂面部の外面が疎水性（好ましくは疎水性かつ不透液性）とされるため、開口が肛門等から僅かでもずれると、開口を通過しなかった排泄物が頂面部に沿って前後に広がってしまい、着用者の肌に広範囲に亘って付着することとなる。
【０００８】
特許文献３の紙おむつでも上記と同様に、表面シートと透液性シートとの間の空間が押しつぶされて軟便等を収容することができないおそれがある。また、特許文献３の紙おむつでは、表面シートの目が小さいと、軟便等が表面シートを通過することなく表面シートに沿って前後に広がってしまい、表面シートの目が大きいと、表面シートを通過した軟便等が再度表面シートを通過して着用者側に戻ってきてしまい、いずれの場合も着用者の肌に広範囲に亘って付着することとなる。
【０００９】
本発明は、上記課題に鑑みなされたものであり、開口近傍における吸収性シート部材とバックシートとの間の厚さ方向の距離を大きく維持し、また、吸収性シート部材の開口近傍の部位を着用者に密着させることを目的としている。
【課題を解決するための手段】
【００１０】
請求項１に記載の発明は、着用者からの排泄物を受ける吸収性物品であって、バックシートと、前記バックシート上に重ねられて前記バックシートに接合され、着用者の股間部に対向する開口を有する吸収性シート部材と、前記吸収性シート部材上の幅方向の両側において前記幅方向に垂直な長手方向のほぼ全長に亘って設けられた一対のサイドシートとを備え、前記吸収性シート部材が、前記着用者の腹側に配置される前部吸収コアと、前記着用者の背側に配置される後部吸収コアと、前記前部吸収コアおよび前記後部吸収コアを被覆するとともに前記前部吸収コアと前記後部吸収コアとの間に前記開口が形成された透液性のコア被覆シートとを備え、前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、前記一対のサイドシートのそれぞれが、前記コア被覆シートに接合される帯状の部位であって、前記幅方向における内側エッジが前記開口の側方エッジよりも前記幅方向の内側に位置する接合部と、少なくとも一部が前記接合部の前記内側エッジから起立する側壁部と、前記接合部の前記開口の前記側方エッジよりも前記幅方向の内側、または、前記側壁部の前記接合部近傍に前記開口を跨いで前記長手方向に接合されるとともに収縮することにより前記一方の吸収コアを他方の吸収コアに向かって引き寄せる弾性部材とを備える。
【００１１】
請求項２に記載の発明は、請求項１に記載の吸収性物品であって、前記一方の吸収コアが前記前部吸収コアであり、前記長手方向において前記前部吸収コアが前記後部吸収コアよりも長い。
【００１２】
請求項３に記載の発明は、請求項１または２に記載の吸収性物品であって、前記側壁部が、前記接合部の前記内側エッジから前記幅方向の外側に向かって起立する。
【００１３】
請求項４に記載の発明は、請求項１ないし３のいずれかに記載の吸収性物品であって、前記一対のサイドシートのそれぞれの前記弾性部材が、前記接合部または前記側壁部において前記接合部の前記内側エッジ近傍に接合される。
【００１４】
請求項５に記載の発明は、請求項１ないし４のいずれかに記載の吸収性物品であって、前記接合部が、前記一方の吸収コア上の前記開口のエッジ近傍において、前記コア被覆シートと非接合とされる。
【００１５】
請求項６に記載の発明は、請求項１ないし５のいずれかに記載の吸収性物品であって、前記吸収性シート部材が、前記幅方向の両側にて前記長手方向に伸びるとともに前記コア被覆シートに接合される他の弾性部材をさらに備え、前記他の弾性部材が、少なくとも前記開口の前記側方エッジよりも前記幅方向の外側の位置から前記一方の吸収コアに重なる位置まで設けられ、収縮することにより前記一方の吸収コアを前記他方の吸収コアに向かって引き寄せる。
【００１６】
請求項７に記載の発明は、請求項１ないし６のいずれかに記載の吸収性物品であって、前記一方の吸収コアが、前記吸収性シート部材の前記幅方向における中央領域に、前記開口近傍または前記開口に接するコアエッジから前記長手方向におよそ沿って伸びる弱化線群を有し、着用時に前記一方の吸収コアが前記弱化線群にて折れ曲がることにより、前記一方の吸収コアの前記中央領域に前記バックシートから離れる方向に突出する凸部が形成される。
【００１７】
請求項８に記載の発明は、請求項１ないし７のいずれかに記載の吸収性物品であって、前記吸収性シート部材の前記前部吸収コアおよび前記後部吸収コアのうち前記他方の吸収コアの周囲が、前記開口およびその周辺部を除いて前記バックシートと接合されることにより、前記他方の吸収コアと前記バックシートとの間にもう１つのポケットが形成される。
【００１８】
請求項９に記載の発明は、請求項８に記載の吸収性物品であって、前記他方の吸収コアが、前記吸収性シート部材の前記幅方向における前記中央領域に、前記開口近傍または前記開口に接するコアエッジから前記長手方向におよそ沿って伸びる弱化線群を有し、着用時に前記他方の吸収コアが前記弱化線群にて折れ曲がることにより、前記他方の吸収コアの前記中央領域に前記バックシートから離れる方向に突出する凸部が形成される。
【００１９】
請求項１０に記載の発明は、請求項１ないし９のいずれかに記載の吸収性物品であって、着用者が着用する外装物品の内側に取り付けられる補助吸収具である。
【発明の効果】
【００２０】
本発明では、開口近傍における吸収性シート部材とバックシートとの間の厚さ方向の距離を大きく維持し、また、吸収性シート部材の開口近傍の部位を着用者に密着させることができる。また、請求項３の発明では、側壁部が着用者の肌に沿いやすいため、排泄物の漏出をより確実に防止することができる。
【００２１】
請求項５および６の発明では、開口近傍における吸収性シート部材とバックシートとの間の厚さ方向の距離を大きくすることができる。また、請求項７および９の発明では、吸収性シート部材の開口近傍の部位を着用者により密着させることができる。
【発明を実施するための最良の形態】
【００２２】
図１は、本発明の一の実施の形態に係る吸収性物品１を広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２３】
図１に示すように、吸収性物品１は、平面視において略矩形状である略シート状の本体部２、および、本体部２の幅方向の両側（すなわち、図１中の左右方向の両側であり、後述する吸収性シート部材２０の幅方向の両側でもある。）において幅方向に垂直な長手方向のほぼ全長に亘って設けられた一対のサイドシート３を備える。
【００２４】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２５】
図２および図３はそれぞれ、吸収性物品１を、図１中に示す前方部２０１のＡ−Ａの位置、および、中間部２０２のＢ−Ｂの位置にて、吸収性物品１の長手方向（すなわち、図１中の上下方向）に垂直な面で切断した断面図であり、図４は、吸収性物品１を図１中に示すＣ−Ｃの位置にて吸収性物品１の幅方向に垂直な面で切断した断面図である。なお、吸収性物品１では、後方部２０３の構造は前方部２０１の構造とほぼ同様であり、後方部２０３の長手方向に垂直な断面図は図２と同様である。
【００２６】
図１ないし図４に示すように、本体部２は、バックシート２３、および、バックシート２３上（すなわち、バックシート２３の着用者側）に重ねられて周縁部においてバックシート２３に接合される吸収性シート部材２０を備える。吸収性シート部材２０の長手方向の中央よりも後側（すなわち、図１中の下側）には、図１、図３および図４に示すように、着用者の股間部に対向する開口２５が形成されており、開口２５の幅は、吸収性物品１の幅よりも小さくされる。バックシート２３は、吸収性シート部材２０の開口２５から露出して着用者の股間部に直接対向する中央露出領域２３５を有する。
【００２７】
図１および図４に示すように、吸収性シート部材２０は、吸収性物品１の着用時に着用者の腹側に配置される前部吸収コア２１２、前部吸収コア２１２と長手方向において離間するとともに着用者の背側に配置される後部吸収コア２２２、並びに、前部吸収コアおよび後部吸収コア２２２のそれぞれの上面および下面（すなわち、前部吸収コアおよび後部吸収コア２２２のそれぞれの着用者側およびバックシート２３側）を被覆する透液性のコア被覆シート２２を備える。吸収性シート部材２０では、長手方向において前部吸収コア２１２が後部吸収コア２２２よりも長く、本実施の形態では、前部吸収コア２１２の長さは後部吸収コア２２２の長さのおよそ２倍以上となっている。図１中では、前部吸収コア２１２および後部吸収コア２２２の輪郭を太い破線にて描いている。
【００２８】
図２および図４に示すように、コア被覆シート２２は、前部吸収コア２１２および後部吸収コア２２２のそれぞれの上面を覆う第１被覆シート２２０１、並びに、前部吸収コア２１２および後部吸収コア２２２のそれぞれの下面を覆う第２被覆シート２２０２を備える。コア被覆シート２２では、前部吸収コア２１２と後部吸収コア２２２との間に上述の開口２５が形成され、コア被覆シート２２の前部吸収コア２１２を覆う部位と後部吸収コア２２２を覆う部位とは、開口２５の幅方向の両側にて連続している。
【００２９】
図１に示すように、前部吸収コア２１２の開口２５側のコアエッジ２１２１、および、開口２５の前部吸収コア２１２側の前部エッジ２５２は長手方向に関して凹状となっており、後部吸収コア２２２の開口２５側のコアエッジ２２２１、および、開口２５の後部吸収コア２２２側の後部エッジ２５３も長手方向に関して凹状となっている。
【００３０】
図１および図２に示すように、前部吸収コア２１２は、吸収性シート部材２０の幅方向における中央領域に、開口２５近傍に位置するコアエッジ２１２１（図１のみに図示）から長手方向におよそ沿って伸びるスリットである弱化線２４１ａを有する。また、図１に示すように、後部吸収コア２２２も、前部吸収コア２１２と同様に、吸収性シート部材２０の幅方向における中央領域に、開口２５近傍に位置するコアエッジ２２２１から長手方向におよそ沿って伸びるスリットである弱化線２４２ａを有する。弱化線２４１ａおよび弱化線２４２ａはそれぞれ、前部吸収コア２１２および後部吸収コア２２２において周囲の部位よりも剛性が低くされており、長手方向において前部吸収コア２１２および後部吸収コア２２２の長さの半分よりも長い。図１では、弱化線２４１ａおよび弱化線２４２ａの輪郭を破線にて示している。
【００３１】
なお、平面視において前部吸収コア２１２のコアエッジ２１２１と開口２５の前部エッジ２５２とが一致している場合には、弱化線２４１ａは、前部吸収コア２１２の開口２５に接するコアエッジ２１２１から長手方向におよそ沿って伸び、平面視において後部吸収コア２２２のコアエッジ２２２１と開口２５の後部エッジ２５３とが一致している場合には、弱化線２４２ａは、後部吸収コア２２２の開口２５に接するコアエッジ２２２１から長手方向におよそ沿って伸びることとなる。
【００３２】
吸収性シート部材２０は、また、図１および図３に示すように、開口２５の幅方向の両側にて長手方向に伸びる（すなわち、開口２５の幅方向の外側にて前部吸収コア２１２および後部吸収コア２２２が並ぶ方向に向いて配置される）一対の第１弾性部材２９を備える。第１弾性部材２９としては、例えば、ポリウレタン糸、帯状のポリウレタンフィルム、糸状または帯状の天然ゴム等が用いられ、本実施の形態では、各第１弾性部材２９は２本のポリウレタン糸を有する。
【００３３】
第１弾性部材２９は、図１に示すように、開口２５の側方エッジ２５１よりも幅方向の外側の位置において、前部吸収コア２１２に重なる位置から後部吸収コア２２２に重なる位置まで長手方向に伸びている。図２に示すように、第１弾性部材２９の前部吸収コア２１２と重なる部位は、前部吸収コア２１２のバックシート２３側にて前部吸収コア２１２とコア被覆シート２２の第２被覆シート２２０２との間に配置され、伸張状態にて第２被覆シート２２０２および前部吸収コア２１２に接合される。また、第１弾性部材２９の後部吸収コア２２２と重なる部位は、第１弾性部材２９の前部吸収コア２１２と重なる部位と同様に、後部吸収コア２２２のバックシート２３側にて後部吸収コア２２２と第２被覆シート２２０２との間に配置され、第２被覆シート２２０２および後部吸収コア２２２に伸張状態にて接合される。
【００３４】
第１弾性部材２９の前部吸収コア２１２と後部吸収コア２２２との間の部位は、図３に示すように、コア被覆シート２２の第１被覆シート２２０１と第２被覆シート２２０２との間において開口２５近傍に配置され、第１被覆シート２２０１および第２被覆シート２２０２に伸張状態にて接合される。上述のように、前部吸収コア２１２および後部吸収コア２２２は長手方向に関して離間しているため、開口２５の幅方向の両側の領域（一対の第１弾性部材２９の幅方向の外側の領域を含む。）には、前部吸収コア２１２および後部吸収コア２２２は存在しない。
【００３５】
図１に示すように、本体部２の長手方向の両端部近傍では、前部吸収コア２１２の幅は本体部２の幅にほぼ等しくされ、後部吸収コア２２２の幅も本体部２の幅にほぼ等しくされる。また、吸収性シート部材２０では、前部吸収コア２１２の開口２５近傍の部位において、前部吸収コア２１２の幅が開口２５および後部吸収コア２２２に近づくに従って漸次減少し、後部吸収コア２２２の開口２５近傍の部位において、後部吸収コア２２２の幅が開口２５および前部吸収コア２１２に近づくに従って漸次減少する。開口２５近傍では、一対の第１弾性部材２９が、前部吸収コア２１２および後部吸収コア２２２の外側に位置する。
【００３６】
前部吸収コア２１２および後部吸収コア２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等により包み込んで形成され、コア被覆シート２２を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。
【００３７】
コア被覆シート２２の第１被覆シート２２０１および第２被覆シート２２０２は透液性のシート材料、例えば、親水性繊維により形成された不織布であり、着用者からの排泄物の水分を速やかに捕捉して前部吸収コア２１２および後部吸収コア２２２へと移動させる。コア被覆シート２２として利用される不織布は、例えば、ポイントボンド不織布やエアスルー不織布、スパンレース不織布であり、これらの不織布を形成する親水性繊維としては通常、セルロースやレーヨン、コットン等が用いられる。なお、コア被覆シート２２として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３８】
バックシート２３は、図２および図３に示すように、本体部２の幅方向の両側において着用者側へと折り返され、前部吸収コア２１２および後部吸収コア２２２のそれぞれの幅方向の端部を覆いつつ、コア被覆シート２２の着用者側にてコア被覆シート２２の幅方向の端部にホットメルト接着剤等により接合される。
【００３９】
吸収性物品１では、図３に示すように、開口２５の幅方向の両側かつ一対の弾性部材２９の幅方向の外側において、コア被覆シート２２のバックシート２３に直接的に対向する面（すなわち、間に介在物が存在しない状態で対向する面）がバックシート２３と非接合とされる。これにより、開口２５の幅方向の両側において、コア被覆シート２２とバックシート２３との間に一対の側部ポケット２８が形成される。
【００４０】
バックシート２３は、図２ないし図４に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上（すなわち、外装シート２３１および吸収シート２３３の着用者側）に積層された親水性シート２３２を備える。
【００４１】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４２】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維より形成される不織布、親水処理した疎水性繊維より形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４３】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された親水性の不織布が利用される。
【００４４】
本体部２では、図１に示す吸収性シート部材２０の前部吸収コア２１２の周囲のうち開口２５から一対の弾性部材２９の幅方向の外側までの部位（本実施の形態では、前部吸収コア２１２の周囲のうち、開口２５の前部エッジ２５２を含むとともに前部エッジ２５２から本体部２の幅方向の両端部におよそ至る部位）が、図４に示すように、バックシート２３の着用者側の面と非接合とされ、前部吸収コア２１２の周囲のうち当該非接合とされる部位である開口２５およびその周辺部を除く部位が、図２に示すように、バックシート２３と接合されることにより、前部吸収コア２１２とバックシート２３との間（すなわち、吸収性シート部材２０の前部吸収コア２１２に対応する部位とバックシート２３との間）に前部ポケット２６が形成される。
【００４５】
また、図１に示す吸収性シート部材２０の後部吸収コア２２２の周囲のうち開口２５から一対の弾性部材２９の幅方向の外側までの部位（本実施の形態では、後部吸収コア２２２の周囲のうち、開口２５の後部エッジ２５３を含むとともに後部エッジ２５３から本体部２の幅方向の両端部におよそ至る部位）が、バックシート２３の着用者側の面と非接合とされ（図４参照）、後部吸収コア２２２の周囲のうち当該非接合とされる部位である開口２５およびその周辺部を除く部位がバックシート２３と接合されることにより、後部吸収コア２２２とバックシート２３との間（すなわち、吸収性シート部材２０の後部吸収コア２２２に対応する部位とバックシート２３との間）に後部ポケット２７が形成される。図１に示す吸収性物品１では、前部ポケット２６および後部ポケット２７は、一対の側部ポケット２８と連続している。
【００４６】
図１ないし図４に示す吸収性物品１では、着用者から排泄された軟便等の排泄物が、開口２５を介してバックシート２３へと向かい、バックシート２３の中央露出領域２３５にて受けられる。中央露出領域２３５にて受けられた排泄物は、前部ポケット２６、側部ポケット２８および後部ポケット２７の内部空間へと移動して収容される。
【００４７】
図１ないし図３に示す一対のサイドシート３はそれぞれ、１枚のシート部材を２つ折りにして２層構造とした帯状部材の当該２層の間に、長手方向に伸びる弾性部材を伸張状態にて接合することにより形成される。各サイドシート３は、コア被覆シート２２およびバックシート２３に接合される帯状の部位である接合部３３、接合部３３の幅方向における内側エッジ３３１から少なくとも一部が起立する側壁部３４、側壁部３４の着用者側の端部に長手方向に接合される（すなわち、長手方向を向いて配置されるとともに接合される）第２弾性部材３２、および、接合部３３の内側エッジ３３１に長手方向に接合される第３弾性部材３５を備える。
【００４８】
接合部３３および側壁部３４としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）が利用される。また、第２弾性部材３２および第３弾性部材３５としては、例えば、ポリウレタン糸、帯状のポリウレタンフィルム、糸状または帯状の天然ゴム等が用いられる。本実施の形態では、第２弾性部材３２は２本のポリウレタン糸を有し、第３弾性部材３５は１本のポリウレタン糸を有する。
【００４９】
図２および図３に示すように、コア被覆シート２２の着用者側に接合された接合部３３は、コア被覆シート２２の幅方向の外側において、バックシート２３の吸収性シート部材２０の側端部を覆う部位を覆い、さらに、バックシート２３の着用者とは反対側の側端部まで設けられてバックシート２３にもホットメルト接着剤等により接合される。このように、本体部２の側部が撥水性または不透液性のサイドシート３により覆われることにより、万一、本体部２の側部において吸収性シート部材２０とバックシート２３との接合不良が存在しても、前部ポケット２６、側部ポケット２８および後部ポケット２７の内部空間に収容された排泄物が、接合不良箇所から外部にしみ出すことを確実に防止することができる。また、上述のように、サイドシート３が２層構造とされるため、排泄物の外部へのしみ出しをより確実に防止することができる。
【００５０】
図１および図３に示すように、接合部３３の内側エッジ３３１（すなわち、接合部３３と側壁部３４との境界）は、吸収性シート部材２０の開口２５の側方エッジ２５１よりも幅方向の内側に位置し、開口２５の側方エッジ２５１近傍の部位は接合部３３により覆われる。これにより、接合部３３の内側エッジ３３１に接合される第３弾性部材３５は、開口２５を跨いで長手方向に接合されることとなる。
【００５１】
図５は、図１と同様に、吸収性物品１を広げた状態にて示す平面図であり、図５では、各サイドシート３の接合部３３のうち、ホットメルト接着剤等を介して吸収性シート部材２０に実際に接合される部位に平行斜線を付す。図５に示すように、接合部３３のコア被覆シート２２上に直接接合される部位のうち、開口２５の前部エッジ２５２から前方に（すなわち、長手方向において開口２５から離れる方向に）所定の距離（例えば、約２ｃｍ）内の部位、および、開口２５の後部エッジ２５３から後方に所定の距離（例えば、約２ｃｍ）内の部位は、吸収性シート部材２０のコア被覆シート２２と非接合とされる。換言すれば、各サイドシート３の接合部３３は、前部吸収コア２１２上の開口２５の前部エッジ２５２近傍においてコア被覆シート２２と非接合とされ、後部吸収コア２２２上の開口２５の近傍においてコア被覆シート２２と非接合とされる。
【００５２】
各サイドシート３は、図２および図３に示すように、接合部３３の内側エッジ３３１から着用者側かつ幅方向の外側へと折り返されており、折り返された部位である側壁部３４の長手方向の両端部は、接合部３３上にホットメルト接着剤等により固定される。吸収性物品１では、側壁部３４に伸張状態にて接合された第２弾性部材３２が収縮することにより、側壁部３４の長手方向の両端部（すなわち、接合部３３上に固定された部位）の間の部位が、接合部３３の内側エッジ３３１から着用者側かつ幅方向の外側に向かって起立し、吸収性物品１の着用時に着用者の足の付け根近傍に当接する立体ギャザーが形成される。
【００５３】
また、吸収性物品１では、一対のサイドシート３のそれぞれにおいて、接合部３３の内側エッジ３３１に開口２５を跨いで伸張状態にて接合された第３弾性部材３５が収縮することにより、前部吸収コア２１２および後部吸収コア２２２が互いに他方に向かって引き寄せられる。このため、前部吸収コア２１２および後部吸収コア２２２がバックシート２３から離れるように（すなわち、前部ポケット２６における前部吸収コア２１２とバックシート２３との厚さ方向の距離、および、後部ポケット２７における後部吸収コア２２２とバックシート２３との厚さ方向の距離が大きくなるように）着用者側へと持ち上げられる。
【００５４】
これにより、開口２５近傍における吸収性シート部材２０とバックシート２３との間の厚さ方向の距離を大きく維持することができるとともに吸収性シート部材２０の開口２５近傍の部位を着用者に密着させることもできる。その結果、排泄物を前部ポケット２６、側部ポケット２８および後部ポケット２７に確実に収容して保持することができ、排泄物が広がって着用者の肌に広範囲に亘って付着することが防止される。このように、吸収性物品１は、排泄物が広い範囲に広がってしまうことを防止することができるため、使い捨ておむつ等の外装物品の内側にて着用者の肌の比較的狭い範囲を覆うとともに容易に交換可能な補助吸収具に特に適している。
【００５５】
吸収性シート部材２０では、開口２５の両側（すなわち、幅方向の外側）において伸張状態にてコア被覆シート２２に接合される一対の第１弾性部材２９が設けられており、第１弾性部材２９が長手方向に収縮することにより、図３に示すように、一対の側部ポケット２８のそれぞれにおいて、吸収性シート部材２０のコア被覆シート２２がバックシート２３と共に着用者側へと大きく立ち上がる。これにより、側部ポケット２８の高さを大きくすることができる。
【００５６】
また、第１弾性部材２９の収縮により、前部吸収コア２１２および後部吸収コア２２２が互いに他方に向かって引き寄せられ、図２および図４に示すように、前部吸収コア２１２および後部吸収コア２２２がバックシート２３から離れるように着用者側へと持ち上げられる。これにより、開口２５近傍における吸収性シート部材２０とバックシート２３との間の厚さ方向の距離を大きくすることができるとともに吸収性シート部材２０の開口２５近傍の部位を着用者により密着させることもできる。その結果、排泄物を前部ポケット２６、側部ポケット２８および後部ポケット２７により確実に収容して保持することができ、排泄物が広がって着用者の肌に広範囲に亘って付着することが防止される。
【００５７】
上述のように、吸収性物品１では、各サイドシート３の接合部３３が、前部吸収コア２１２上の開口２５の前部エッジ２５２近傍においてコア被覆シート２２と非接合とされ、後部吸収コア２２２上の開口２５の後部エッジ２５３近傍においてコア被覆シート２２と非接合とされる。これにより、開口２５近傍において前部吸収コア２１２および後部吸収コア２２２がサイドシート３から独立して変形可能とされ、第３弾性部材３５および第１弾性部材２９の収縮により前部吸収コア２１２および後部吸収コア２２２がバックシート２３から離れる方向に凸状に変形しやすくなる。その結果、開口２５近傍における吸収性シート部材２０とバックシート２３との間の厚さ方向の距離をさらに大きくすることができるとともに吸収性シート部材２０の開口２５近傍の部位を着用者にさらに密着させることもできる。
【００５８】
吸収性シート部材２０では、上述のように、前部吸収コア２１２の幅方向における中央領域にコアエッジ２１２１から長手方向におよそ沿って伸びる弱化線２４１ａが形成され、後部吸収コア２２２の幅方向における中央領域にコアエッジ２２２１から長手方向におよそ沿って伸びる弱化線２４２ａが形成される。そして、前部吸収コア２１２は、吸収性物品１の着用時に弱化線２４１ａにて折れ曲がり、これにより、図２に示すように、前部吸収コア２１２の中央領域にバックシート２３から離れる方向に突出する凸部２４０が形成される。また、後部吸収コア２２２も、吸収性物品１の着用時に弱化線２４２ａにて折れ曲がり、これにより、後部吸収コア２２２の中央領域にバックシート２３から離れる方向に突出する凸部が形成される。その結果、吸収性シート部材２０の開口２５近傍の部位の着用者に対する密着性がさらに向上される。
【００５９】
吸収性シート部材２０では、弱化線２４１ａが、長手方向に伸びるスリットされることにより、弱化線２４１ａを容易に形成することができる。また、弱化線２４２ａが、長手方向に伸びるスリットとされることにより、弱化線２４２ａを容易に形成することができる。
【００６０】
吸収性物品１では、着用者側に向かって起立する一対の側壁部３４が設けられることにより、開口２５を介して前部ポケット２６、側部ポケット２８および後部ポケット２７に収容されずに開口２５の周囲に排出される尿等の排泄物が、吸収性物品１の側方から外部に漏出すること（いわゆる、横漏れ）を防止することができる。また、各側壁部３４が、接合部３３の内側エッジ３３１から幅方向の外側に向かって起立することにより、側壁部３４の形状安定性が向上して側壁部３４が着用者の肌に密着しやすくなるため、排泄物の横漏れをより確実に防止することができる。
【００６１】
上記実施の形態では、各サイドシート３の第３弾性部材３５は、接合部３３と側壁部３４との境界である接合部３３の内側エッジ３３１上に接合されるが、第３弾性部材３５は、接合部３３の開口２５の側方エッジ２５１よりも幅方向の内側、または、側壁部３４の接合部３３近傍（すなわち、内側エッジ３３１近傍）に接合されていればよい。このように接合された第３弾性部材３５が収縮することにより、上記と同様に、前部吸収コア２１２および後部吸収コア２２２が互いに他方に向かって引き寄せられ、前部吸収コア２１２および後部吸収コア２２２がバックシート２３から離れるように着用者側へと持ち上げられる。その結果、開口２５近傍における吸収性シート部材２０とバックシート２３との間の厚さ方向の距離を大きく維持することができるとともに吸収性シート部材２０の開口２５近傍の部位を着用者に密着させることもできる。
【００６２】
吸収性物品１では、前部吸収コア２１２および後部吸収コア２２２をバックシート２３からより大きく離れるように着用者側へと持ち上げるためには、第３弾性部材３５が、接合部３３または側壁部３４において、接合部３３の内側エッジ３３１近傍に接合されることが好ましい。このように、前部吸収コア２１２および後部吸収コア２２２のバックシート２３に固定されている部位（すなわち、両吸収コアの側方エッジ）から幅方向に離れた位置にて両吸収コアを長手方向に互いに引き寄せることにより、開口２５近傍における吸収性シート部材２０とバックシート２３との間の厚さ方向の距離をより大きくし、吸収性シート部材２０の開口２５近傍の部位を着用者により密着させることができる。
【００６３】
以上、本発明の実施の形態について説明してきたが、本発明は上記実施の形態に限定されるものではなく、様々な変更が可能である。
【００６４】
吸収性物品１では、排泄物が収容されるポケットの容積を大きくして排泄物が着用者の肌に広範囲に亘って付着することをより確実に防止するためには、吸収性シート部材２０とバックシート２３との間に前部ポケット２６および後部ポケット２７の双方が設けられることが好ましい。ただし、前部吸収コア２１２および後部吸収コア２２２のうち一方の吸収コアとバックシート２３との間にポケットが形成され、他方の吸収コアとバックシート２３との間にはポケットが形成されない場合（この場合、吸収性シート部材２０の上記他方の吸収コアに対応する部位が、およそ全面に亘ってバックシート２３に接合される。）であっても、各サイドシート３の第３弾性部材３５が収縮して当該一方の吸収コアが他方の吸収コアに向かって引き寄せられることにより、開口２５近傍における吸収性シート部材２０とバックシート２３との間の厚さ方向の距離を大きく維持することができるとともに吸収性シート部材２０の開口２５近傍の部位を着用者に密着させることもできる。その結果、排泄物が着用者の肌に広範囲に亘って付着することが防止される。
【００６５】
このように、一方の吸収コアとバックシート２３との間にポケットが形成され、他方の吸収コアとバックシート２３との間にはポケットが形成されない場合、前部吸収コア２１２が上記一方の吸収コアとされて前部ポケット２６が形成され、さらに、長手方向において前部吸収コア２１２が後部吸収コア２２２よりも長くされることが好ましい。これにより、ベッド等で仰向けに寝ている状態の着用者からの排泄物を、前部ポケット２６に確実に収容することができ、排泄物が着用者の肌に広範囲に亘って付着することを防止することができる。
【００６６】
開口２５近傍における吸収性シート部材２０とバックシート２３との間の厚さ方向の距離を大きくし、吸収性シート部材２０の開口２５近傍の部位を着用者に密着させるためには、各サイドシート３の接合部３３は、前部吸収コア２１２および後部吸収コア２２２上の開口２５近傍においてコア被覆シート２２と非接合とされることが好ましいが、必ずしも両吸収コア上でコア被覆シート２２と非接合とされる必要はない。例えば、上記実施の形態と同様に、前部吸収コア２１２および後部吸収コア２２２とバックシート２３との間に前部ポケット２６および後部ポケット２７が形成される場合、前部吸収コア２１２および後部吸収コア２２２のうち一方の吸収コア上の開口２５近傍において接合部３３がコア被覆シート２２と非接合とされることにより、当該一方の吸収コアとバックシート２３との間の厚さ方向の距離を大きくするとともに当該一方の吸収コアの開口２５近傍の部位を着用者に密着させることができる。また、前部吸収コア２１２および後部吸収コア２２２のうち一方の吸収コアとバックシート２３との間にポケットが形成され、他方の吸収コアとバックシート２３との間にはポケットが形成されない場合、接合部３３は、当該一方の吸収コア上の開口２５近傍においてコア被覆シート２２と非接合とされる。
【００６７】
第１弾性部材２９は、開口２５近傍における吸収性シート部材２０とバックシート２３との間の厚さ方向の距離を大きくし、吸収性シート部材２０の開口２５近傍の部位を着用者に密着させるという観点からは、前部吸収コア２１２に重なる位置から後部吸収コア２２２に重なる位置まで設けられることが好ましいが、必ずしも、前部吸収コア２１２に重なる位置から後部吸収コア２２２に重なる位置まで設けられる必要はない。例えば、上述のように、前部ポケット２６および後部ポケット２７が設けられる場合、第１弾性部材２９は、少なくとも開口２５の側方エッジ２５１よりも幅方向の外側の位置から前部吸収コア２１２および後部吸収コア２２２のうち一方の吸収コアに重なる位置まで設けられていればよい。
【００６８】
また、前部吸収コア２１２および後部吸収コア２２２のうち一方の吸収コアとバックシート２３との間にポケットが形成され、他方の吸収コアとバックシート２３との間にはポケットが形成されない場合、第１弾性部材２９は、開口２５の側方エッジ２５１よりも幅方向の外側の位置から当該一方の吸収コアに重なる位置まで設けられる。第１弾性部材２９は、コア被覆シート２２に接合されていればよく、例えば、前部吸収コア２１２および後部吸収コア２２２の上側（着用者側）にて両吸収コアとコア被覆シート２２の第１被覆シート２２０１との間に接合されてもよい。
【００６９】
上記実施の形態に係る吸収性物品１では、１本の弱化線２４１ａに代えて複数の弱化線が前部吸収コア２１２に設けられてもよく、１本の弱化線２４２ａに代えて複数の弱化線が後部吸収コア２２２に設けられてもよい。以下の説明では、各吸収コアに設けられる複数の弱化線を弱化線群と呼び、また、上記実施の形態のように、１本の弱化線のみが吸収コアに設けられる場合は、当該１本の弱化線を弱化線群ともいう。
【００７０】
図６および図７は、複数の弱化線を含む弱化線群が設けられた吸収性物品の例を示す平面図である。図６に示す吸収性物品１ａでは、前部吸収コア２１２に、コアエッジ２１２１から長手方向に沿って伸びるおよそ平行な一対の弱化線２４１ｂ、および、コアエッジ２１２１から長手方向に離れた位置において一対の弱化線２４１ｂの間にて幅方向におよそ沿って伸びる補助弱化線２４１ｃを有する弱化線群２４１が設けられる。また、後部吸収コア２２２には、コアエッジ２２２１から長手方向に沿って伸びるおよそ平行な一対の弱化線２４２ｂ、および、コアエッジ２２２１から長手方向に離れた位置において一対の弱化線２４２ｂの間にて幅方向におよそ沿って伸びる補助弱化線２４２ｃを有する弱化線群２４２が設けられる。
【００７１】
図７に示す吸収性物品１ｂでは、前部吸収コア２１２に、コアエッジ２１２１から長手方向におよそ沿って伸びる一対の弱化線２４１ｄを有する弱化線群２４１が設けられ、一対の弱化線２４１ｄの間の幅方向の距離は、コアエッジ２１２１から離れるに従って漸次減少する。また、後部吸収コア２２２には、コアエッジ２２２１から長手方向におよそ沿って伸びる一対の弱化線２４２ｄを有する弱化線群２４２が設けられ、一対の弱化線２４２ｄの間の幅方向の距離は、コアエッジ２２２１から離れるに従って漸次減少する。
【００７２】
上述の弱化線群は、吸収性シート部材２０の開口２５近傍の部位の着用者に対する密着性を向上するためには、前部吸収コア２１２および後部吸収コア２２２の双方に設けられることが好ましいが、必ずしも両吸収コアに設けられる必要はない。例えば、上述のように、前部ポケット２６および後部ポケット２７が設けられる場合、前部吸収コア２１２および後部吸収コア２２２のうち一方の吸収コアに弱化線群が設けられることにより、当該一方の吸収コアの開口２５近傍の部位を着用者に対してより密着させることができる。また、前部吸収コア２１２および後部吸収コア２２２のうち一方の吸収コアとバックシート２３との間にポケットが形成され、他方の吸収コアとバックシート２３との間にはポケットが形成されない場合、弱化線群は当該一方の吸収コアに形成される。
【００７３】
弱化線群に含まれる弱化線は、切り込み加工により形成されたスリットには限定されず、例えば、エンボス加工により前部吸収コア２１２または後部吸収コア２２２の厚さを薄くすることにより形成されてもよく、あるいは、前部吸収コア２１２または後部吸収コア２２２を形成する親水性繊維の量を部分的に減らして前部吸収コア２１２または後部吸収コア２２２の厚さを薄くすることにより形成されてもよい。ただし、弱化線群に長手方向に伸びるスリットである弱化線が含まれることにより、弱化線群が容易に形成される。
【００７４】
吸収性シート部材２０では、コア被覆シート２２は１枚のシート部材とされてもよく、この場合、当該シート部材の前部吸収コア２１２および後部吸収コア２２２の着用者側を覆う部位が第１被覆シート２２０１に相当し、前部吸収コア２１２および後部吸収コア２２２のバックシート２３側を覆う部位が第２被覆シート２２０２に相当する。また、コア被覆シート２２は、少なくとも前部吸収コア２１２および後部吸収コア２２２の着用者側を覆っていればよい。
【００７５】
吸収性物品１の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【図面の簡単な説明】
【００７６】
【図１】吸収性物品の平面図である。
【図２】吸収性物品の断面図である。
【図３】吸収性物品の断面図である。
【図４】吸収性物品の断面図である。
【図５】吸収性物品の平面図である。
【図６】他の吸収性物品の平面図である。
【図７】他の吸収性物品の平面図である。
【符号の説明】
【００７７】
１，１ａ，１ｂ  吸収性物品
３  サイドシート
２０  吸収性シート部材
２２  コア被覆シート
２３  バックシート
２５  開口
２６  前部ポケット
２７  後部ポケット
２９  第１弾性部材
３３  接合部
３４  側壁部
３５  第３弾性部材
２１２  前部吸収コア
２２２  後部吸収コア
２４０  凸部
２４１  弱化線群
２４２  弱化線群
２５１  側方エッジ
２５２  前部エッジ
２５３  後部エッジ
３３１  内側エッジ
２１２１  コアエッジ
２２２１  コアエッジ
【図１】
2010115218.tif 000003
【図２】
2010115218.tif 000004
【図３】
2010115218.tif 000005
【図４】
2010115218.tif 000006
【図５】
2010115218.tif 000007
【図６】
2010115218.tif 000008
【図７】
2010115218.tif 000009